(57)【要約】【課題】  延長管と接続パイプとの接続のロック状態を報知し、そのロック状態を確実に識別することのできる電気掃除機を提供する。【解決手段】  塵挨を吸い込む吸込開口３３を底面に設けた吸込口本体３０と、この吸込口本体３０の後部に前後方向に回動可能に設けられ且つ吸込開口３３に連通した傾動接続管４４と、この傾動接続管４４に着脱自在に接続される延長管１４と、この延長管１４が傾動接続管４４に接続されたときこの延長管１４と傾動接続管４４とを互いにロックするロック機構４７,６３と、延長管１４に連通される集塵室部１５を有する掃除機本体１１とを備えるとともに、延長管１４を吸込口本体３０に対して所定角度回動させて傾動接続管４４が所定角度回動された際にロック機構４７,６３のロックが解除され、延長管１４を傾動接続パイプ４４から取り外せる電気掃除機であって、 ロック機構４７,６３のロック状態を知らせるＬＥＤ８０を設けた。【選択図】  図２
2005334341.tif 000002
【特許請求の範囲】
【請求項１】
塵挨を吸い込む吸込開口を底面に設けた吸込口本体と、この吸込口本体の後部に前後方向に回動可能に設けられ且つ前記吸込開口に連通した接続パイプと、この接続パイプに着脱自在に接続される延長管と、この延長管が前記接続パイプに接続されたときこの延長管と接続パイプとを互いにロックするロック機構と、前記延長管に連通される集塵室部を有する掃除機本体とを備えるとともに、前記延長管を前記吸込口本体に対して所定角度回動させて前記接続パイプが所定角度回動された際に前記ロック機構のロックが解除され、前記延長管を前記接続パイプから取り外せる電気掃除機であって、
前記ロック機構の状態を知らせる報知手段を設けたことを特徴とする電気掃除機。
【請求項２】
前記報知手段は点滅可能な発光部から構成され、該発光部は、前記ロック機構がロックしているときに点灯し、そのロックが解除されているときに点滅することを特徴とする請求項１に記載の電気掃除機。
【請求項３】
前記発光部は、前記延長管が前記接続パイプから取り外されたときに消灯することを特徴とする請求項２に記載の電気掃除機。
【発明の詳細な説明】
【技術分野】
【０００１】
本発明は、吸込口体の接続パイプに延長管が着脱自在に接続される電気掃除機に関するものである。
【背景技術】
【０００２】
従来の電気掃除機としては、掃除機本体に集塵ホースを介して接続された延長管の先端に毛ブラシが設けられ、この先端に着脱自在に吸込口体が装着されるものが知られている（例えば特許文献１参照）。
【０００３】
この電気掃除機は、延長管の先端に吸込口体を装着するとその装着がロックされ、掃除中に吸込口体から延長管が外れないようになっている。
【０００４】
そして、吸込口体に足踏み式の操作ペダルが設けられ、この操作ペダルを足で踏むことでロックを解除して吸込口体から延長管が取り外せるようになっている。
【特許文献１】特開２００３−３３９５８５号公報
【発明の開示】
【発明が解決しようとする課題】
【０００５】
しかしながら、このような電気掃除機では、ロックが解除されているか否かが分からないという問題があった。
【０００６】
そこで、この発明は、吸込口体の後部に設けた接続パイプと延長管との接続の状態を報知し、その状態を確実に識別することのできる電気掃除機を提供することを課題としている。
【課題を解決するための手段】
【０００７】
上記課題を解決するために、請求項１に記載の発明は、塵挨を吸い込む吸込開口を底面に設けた吸込口本体と、この吸込口本体の後部に前後方向に回動可能に設けられ且つ前記吸込開口に連通した接続パイプと、この接続パイプに着脱自在に接続される延長管と、この延長管が前記接続パイプに接続されたときこの延長管と接続パイプとを互いにロックするロック機構と、前記延長管に連通される集塵室部を有する掃除機本体とを備えるとともに、前記延長管を前記吸込口本体に対して所定角度回動させて前記接続パイプが所定角度回動された際に前記ロック機構のロックが解除され、前記延長管を前記接続パイプから取り外せる電気掃除機であって、
前記ロック機構の状態を知らせる報知手段を設けたことを特徴とする。
【発明の効果】
【０００８】
この電気掃除機によれば、ロック機構の状態を知らせる報知手段を設けたものであるから、ロック機構の状態を確実に識別することができる。
【発明を実施するための最良の形態】
【０００９】
次に、図面に基づいて、この発明を実施するための最良の実施の形態の電気掃除機を説明する。
【実施例】
【００１０】
図１に示す電気掃除機１０は、掃除機本体１１と、この掃除機本体１１の接続口１０Ａに一端が着脱自在に接続され他端に手元操作管１３が設けられた集塵ホース１２と、手元操作管１３に着脱自在に装着された延長管１４と、延長管１４の先端部に着脱自在に接続された吸込口体２０とを備えている。
【００１１】
電気掃除機本体１０内には、集塵室部１５を負圧にする電動送風機１６が設けられており、集塵室部１５には集塵フィルタ１７が着脱可能に装着されている。
【００１２】
手元操作管１３には、操作部１３Ａが設けられており、この操作部１３Ａには操作スイッチ１３ａが設けられている。吸込口体２０は、図２に示すように、吸込口本体３０と、吸込口本体３０の後部にＹ軸を中心に前後方向に回動可能に設けられた回動管４０とを備えている。この回動管４０が延長管１４に着脱自在に接続されるようになっている。
【００１３】
吸込口本体３０は、図３、図４に示すように、上ケース３１Ａと下ケース３１Ｂとを備え、下ケース３１Ｂの底面３２に塵挨を吸い込む吸込開口３３が形成されている。吸込開口３３の上方には、図示しないモータによって回転するブラシ３４Ａを備えた回転清掃体３４が配設されており、回転清掃体３４の奥に空気を集める吸気室３５が形成されている。この吸気室３５の後部には風路管４１が接続され、吸気室３５が風路管４１を介して回動管４０に連通している。
【００１４】
この吸込口本体３０の後部に設けられた回動管４０の下側には、後方に突出した一対の脚部３６が形成されており、この一対の脚部３６の間に後部車輪３７が回転自在に保持されている。
【００１５】
また、上ケース３１Ａの上面であって、回動管４０の側部には、透光性を有する窓部３８（図２参照）が形成され、この窓部３８の内側には発光部としてＬＥＤ（報知手段）８０が配設されている。なお、このＬＥＤ８０は高輝度ＬＥＤまたは電球等であってもよい。
【００１６】
ＬＥＤ８０は、図８に示すように、吸込口本体３０の内部に配設された制御回路８１に接続され、点滅制御されている。
【００１７】
制御回路８１は、後述するマイクロスイッチ８２から出力されるＯＮ／ＯＦＦ信号に基づいて、ＬＥＤ８０を点灯させたり、点滅させたりするようになっている。また、制御回路８１は、延長管１４を介して掃除機本体１０から給電されるようになっている。
【００１８】
また、回動管４０は、水平方向に延びる吸込口体２０の進退方向としてのＸ軸の軸回り方向に回転自在に取り付けられている。
【００１９】
この回動管４０は、図５に示すように、風路管４１の後部にＸ軸の軸回りに回転可能な回動接続管４２と、回動接続管４２の下部を覆う回動接続管下カバー４３と、回動接続管４２に接続される傾動接続管（接続パイプ）４４と、傾動接続管４４の上部を覆う傾動接続管上カバー４５と、傾動接続管４４の前端部下側と回動接続管下カバー４３の隙間を防ぐシャッター４６と、延長管１４との接続分離を行うための揺動部材４７及び揺動部材４７の補助レバー４８を有する揺動部４９とを備えている。
【００２０】
風路管４１は、図５に示すように、傾動接続管４４の内部通路と吸気室３５側を接続する漏斗形状の管とされ、風路管４１の後部に回動接続管４２がＸ軸回りに回転可能に取り付けられている。回動接続管４２の下部には回動接続管下カバー４３が取り付けられ、回動接続管４２と回動接続管下カバー４３との間に傾動接続管４４の前端部が保持されている。回動接続管下カバー４３の上部には、上端部に半円形の軸受凹部４３Ａが形成された軸受板部４３Ｂが形成されており、この軸受凹部４３Ａに傾動接続管４４の前端の回転軸部４４Ａが保持される。
【００２１】
シャッター４６の上端部も同様に回転軸部４４Ａに当接する凹部４６Ａを備えている。シャッター４６は、回動接続管下カバー４３の球面状内面と隙間をつくらずに摺動しつつ回転するように球面状に形成されている。シャッター４６の後部内側には、傾動接続管４４の前端部下面に形成された凸部４４Ｂ（図３参照）に掛け止められる凸部４６Ｂ（図３参照）が形成されている。傾動接続管４４が回転軸部４４Ａ（Ｙ軸中心）を中心として前後方向に傾動することに伴って、凸部４４Ｂ（図３参照）が凸部４６Ｂ（図３参照）に掛止した状態で、シャッター４６は回転軸部４４Ａを中心として回転する。回転軸部４４ＡはＸ軸に直交するＹ軸の中心として機能する。傾動接続管４４の前端部下面４４Ｃ（図３参照）は、シャッター４６との隙間から空気を吸い込まないように、シャッター４６の内面に密着する球面状の凸形表面形状を有している。
【００２２】
回動接続管４２は、風路管４１の内部と傾動接続管４４とを連通する吸気通路４２Ａを有している。回動接続管４２には、傾動接続管４４の前端部を保持するための凹部４２Ｂが形成されており、凹部４２Ｂの奥壁には傾動接続管４４に通じる開口部が形成され、凹部４２Ｂの奥壁の開口部は吸気通路４２Ａに通じている。この凹部４２Ｂの両側の突出部４２Ｃと回動接続管下カバー４３との間に、回転軸部４４Ａの両端部が保持される。回動接続管４２は、回動接続管下カバー４３及びシャッター４６とともに、傾動接続管４４の前端部を保持するように、回動接続管下カバー４３の左右一対のネジ孔４３Ｃを通して結合される。符号４２Ｆはこのネジを螺着するボスである。
【００２３】
凹部４２Ｂの上部の縁部には補助レバー４８を傾動接続管４４側に押し付けるための突起部４２Ｄ（押圧部）が突出されている。また、凹部４２Ｂにおける吸気通路４２Ａの上部隙間４２Ｅ（図３参照）と、傾動接続管４４の前端部及び傾動接続管上カバー４５の前端部との間に、空気の隙間ができないように、上部開口部４２Ｅには、傾動接続管４４の前端部及び傾動接続管上カバー４５のカバー部４５Ｆが接触して隙間をふさいでいる。
【００２４】
すなわち、傾動接続管４４がＸ軸に平行あるいはＸ軸からあまり角度がない場合には、回転軸部４４Ａの外周面が上部開口部４２Ｅに接触して隙間をふさいでおり、傾動接続管４４がＸ軸に対してほぼ９０゜（±１０゜）等の直立した状態である場合には、傾動接続管上カバー４５のカバー部４５Ｆの外周面が上部開口部４２Ｅに接触して隙間をふさいでいる。
【００２５】
さらに、この回動接続管４２の上面には、マイクロスイッチ８２が設けられている。マイクロスイッチ８２は、傾動接続管４４がＸ軸に対して直立した状態のときに、後述する揺動部材４７の押圧ボタン部４７Ａが接触する部位に位置しており、押圧ボタン部４７Ａが接触してＯＮされるようになっている。なお、このマイクロスイッチ８２は、押圧ボタン部４７Ａが離間しているときにＯＦＦされるものであり、制御回路８１に接続されて、この制御回路８１にＯＮ／ＯＦＦ信号を出力している。
【００２６】
傾動接続管上カバー４５は、傾動接続管４４の前側端部の上部に、上方をふさぐように固定される。傾動接続管上カバー４５は、傾動接続管４４との間に揺動部材４７および補助レバー４８を格納するように、下方が開放されたほぼ樋状の形状を有している。傾動接続管上カバー４５の中間部４５Ａの凹部４５Ｃの底部にネジを通し、傾動接続管４４上部のボス４４Ｄ上部のネジ孔にこのネジを螺着することで、傾動接続管上カバー４５が傾動接続管４４に固定される。傾動接続管上カバー４５の前方部４５Ｂは、傾動接続管４４がＸ軸に対して９０゜以上起立できるように、中間部４５Ａより低く形成されている。
【００２７】
傾動接続管上カバー４５の中間部４５Ａから段差部４５Ｄ、前方部４５Ｂにかけて、長手方向に延びる長穴形状の開口部４５Ｅが形成されている。この開口部４５Ｅに揺動部材４７の押圧ボタン部４７Ａと、補助レバー４８の被押圧突起部４８Ａ（補助押圧部材）とが挿入されるようになっている。前方部４５Ｂの前端部には前述のカバー部４５Ｆが形成されている。カバー部４５Ｆは、回転軸部４４Ａの上側を覆うように取り付けられ、回転軸部４４Ａの円筒形外周面を形成している。
【００２８】
傾動接続管４４は延長管１４の空気を吸引する通路と通じる吸気通路４４Ｅを有する。傾動接続管４４の前端部には回転軸部４４Ａが形成されている。回転軸部４４Ａの一部は小径部４４Ａａとされており、小径部４４Ａａは吸気通路４４Ｅの外壁を形成している。この小径部４４Ａａにはカバー部４５Ｆが装着され、回転軸部４４Ａとカバー部４５Ｆが同じ円筒の外周面を形成する。
【００２９】
傾動接続管４４の前側上面部には、傾動接続管上カバ−４５を取り付ける装着面４４Ｆが形成されており、装着面４４Ｆには傾動接続管上カバー４５が取り付けられる。そして、傾動接続管４４の装着面４４Ｆの後方は接続筒部４４Ｇとされている。接続筒部４４Ｇは延長管１４の内部に着脱可能に挿入される。装着面４４Ｆには揺動部材４７の揺動軸４７Ｂを支持するリブ４４Ｈが一対突設されている。一対のリブ４４Ｈは、傾動接続管４４の長手方向に互いに平行に延びており、一対のリブ４４Ｈの間に揺動部材４７は配設される。一対のリブ４４Ｈの上部には半円形上の凹部４４Ｉが形成されており、この凹部４４Ｉに揺動部材４７の中央部近傍左右に形成された揺動軸４７Ｂが保持される。一対のリブ４４Ｈの外側には、揺動軸４７Ｂ及び補助レバー４８の軸孔部４８Ｂの軸方向へのスライドを規制する一対のストッパー４４Ｋが突設されている。ストッパー４４Ｋに揺動軸４７Ｂを保持させる場合には、揺動軸４７Ｂに補助レバー４８の軸孔部４８Ｂを通した後に、一対のストッパー４４Ｋ間に揺動軸４７Ｂを挿入する。
【００３０】
装着面４４Ｆの回転軸部４４Ａ近傍には、図７に示す弾性部材としての第一、第二コイルスプリングＰｌ、Ｐ２の下端部を支持する突起部４４Ｌ、４４Ｍが形成されている。また、装着面４４Ｆのボス４４Ｄの近傍には吸込口本体３０のモータに給電するリード線（図示せず）の保持突起４４Ｎが形成されている。前述のリード線は揺動部材４７と装着面４４Ｆの間を通されて端子４８Ｏ、４８Ｐに接続される。なお、端子４８Ｏ、４８Ｐはリブ４４Ｈの外側に突設された保持突起部４４Ｑ、４４Ｒに掛止され、支持溝部４４Ｓ、４４Ｔに保持される。
【００３１】
傾動接続管４４の前部側面には、第一突起４４Ｕと第二突起４４Ｖが形成されている。第一突起４４Ｕは、回動接続管４２の突起部４２Ｃの内側に形成した内側突起部４２Ｇと当接することによって、傾動接続管４４をＸ軸に対して９０゜近傍に起立させた状態を維持できるようになっている。第二突起４４Ｖはシャッター４６の端部と当接して傾動接続管４４を起立状態からＸ軸側に倒すときに、
シャッター４６を吸込口本体３０側に傾動させる。
【００３２】
傾動接続管４４の左右側面部下側には、延長管１４の後述する補助清掃体５０を傾動接続管４４の軸方向に対して直角に向けて姿勢を維持するためのガイド突起４４Ｗが形成されている。ガイド突起４４Ｗは傾動接続管４４の軸方向に延びている。
【００３３】
揺動部材４７は、延長管１４を傾動接続管４４に結合させるためのものであり、揺動部材４７の延長管１４側の先端部には爪部４７Ｄが形成され、揺動部材４７の吸込口本体３０側の先端部には押圧ボタン部４７Ａが形成されている。揺動部材４７と後述する被掛止板部６３とは吸込口本体３０と延長管１４とを接続して固定するロック機構を構成している。
【００３４】
押圧ボタン部４７Ａの裏面側には第一コイルスプリングＰｌの上端部を挿入する凹部が形成されている。揺動部材４７の押圧ボタン部４７Ａと揺動軸４７Ｂとの間には、上下方向に貫通する円形環状部４７Ｅが形成されている。円形環状部４７Ｅにはボス４４Ｄが隙間を空けて貫通され、揺動部材４７が揺動可能とされている。４７Ｆは揺動部材４７を樹脂成形するときのひけを解消するための凹部である。
【００３５】
揺動部材４７の押圧ボタン部４７Ａ側の端部には、補助レバー４８の被押圧突起部４８Ａと接触する突起部４７Ｇが形成されている。突起部４７Ｇは、補助レバー４８の被押圧突起部４８Ａを押したときに、爪部４７Ｄを持ち上げるように揺動部材４７を揺動させて、延長管１４を離脱可能とする。
【００３６】
また、揺動部材４７の押圧ボタン部４７Ａを押した場合では、補助レバー４８は揺動しないが、揺動部材４７は爪部４７Ｄが持ち上げられ、延長管１４が離脱可能となる。なお、突起部４７Ｇには、第一コイルスプリングＰｌの伸縮を許容する凹部が形成されている。
【００３７】
補助レバー４８は、被押圧突起部４８Ａの両側にレバー部４８、Ｃの一方の端部が突出するように形成され、図５に示すように、レバー部４８Ｃの他端部に軸穴部４８Ｂが形成されている。図７に示すように、被押圧突起部４８Ａの裏面側には第二コイルスプリングＰ２の上端部を挿入する凹部が形成され、さらにこの凹部の底部に第二コイルスプリングＰ２の上端部を固定する突起部４８Ｅが突設されている。押圧ボタン部４７Ａと被押圧部としての被押圧突起部４８Ａは上下に並んで配設されており、被押圧突起部４８Ａが押圧ボタン部４７Ａよりも下側に位置している。
【００３８】
揺動部材４７の爪部４７Ｄは第一コイルスプリングＰｌと第二コイルスプリングＰ２とで付勢されており、第一コイルスプリングＰｌの付勢力は、爪部４７Ｄで延長管１４を十分に掛止できる弾性力を有している。第二コイルスプリングＰ２の付勢力は、同様に爪部４７Ｄで延長管１４を十分に掛止できる弾性力を有している。したがって、回動管４０をＸ軸から上方に起立させ、被押圧突起部４８Ａが押圧部としての突起部４２Ｄに当たって押されると爪部４７Ｄが持ち上げられ、延長管１４の被掛止部５６が開放されて、この延長管１４が吸込口本体３０から離脱される。
【００３９】
また、第二コイルスプリングＰ２の弾性係数は、第一コイルスプリングＰｌの弾性係数に比べて大きくなるように設定されている。そのため、押圧ボタン部４７Ａを押したときの方が被押圧突起部４８Ａを押したときよりも軽い力で爪部４７Ｄを持ち上げることができる。
【００４０】
延長管１４は、図２に示すように、延長管本体１４Ａと補助清掃体５０とを備えている。延長管本体１４Ａは、前述の手元操作管１３から延びる管部であり、解除ボタン５１を押すことによって補助清掃体５０を延長管本体１４Ａから分離できるようになっている。延長管本体１４Ａの先端部は接続管部４４Ｇに挿入されて延長管本体１４Ａと連通する風路が形成される。
【００４１】
補助清掃体５０は、図６に示すように、補助ブラシ５２と、補助管部５３と、上カバー５４と、下カバー５５と、被掛止部５６とを備えている。
【００４２】
補助ブラシ５２は環状枠部５７を有しており、環状枠部５７の面に起毛部５８が形成されている。起毛部５８は例えば樹脂製の柔軟な細い毛を密生させてそれらの根元を環状枠部５７に固定したものであるが、環状枠部５７に起毛布等を張り合わせても良い。環状枠部５７の内側の左右の部位には図示しない一対の第一突起と、さらに下側に一対の第二突起とが形成されている。一対の第一突起は補助管部５３の左右側面に形成された孔（溝）６１に挿入され、環状枠部５７は第一突起を中心として回動可能とされている。一対の第二突起は円弧状長穴（長溝）６２に挿入されており、円弧状長穴６２の長さが補助ブラシ５２の揺動角度を定めている。補助管部５３の補助ブラシ５２の反対側の部位には延長管本体１４Ａが挿入可能とされており、補助清掃体５０と延長管本体１４Ａとが接続可能とされる。
【００４３】
被掛止部５６は、爪部４７Ｄが乗り越えて掛止される被掛止板部６３を有しており、被掛止板部６３の両側に段部５４Ａの内側をふさぐリブ６４が一対形成されている。リブ６４は上カバー５４を支持している。リブ６４の後方にはボス６５が突設されており、上カバー５４の凹部７０の底部にネジを挿入してボス６５のネジ穴にねじ込むことによって、上カバー５４が被掛止部５６の上方を閉鎖する。リブ６４の爪部４７Ｄ側の側面には端子４８Ｏ、４８Ｐを挿入する端子穴６４Ａが開口されている。リブ６４の側面には端子４４Ｏ、４４Ｐの先端が接触する接触子６６Ａが装着され、接触子６６Ａには端子６６が取り付けられるようになっている。６６Ｂは端子６６を保持する溝である。上カバー５４の側部の前後左右には爪部６７が形成されている。この爪部６７は外側に突出する突起爪を有しており、爪部６７の突起爪を下カバー５５の図示しない凹部に掛止することによって、上カバー５４と下カバー５５とが結合させる。端子６６は被掛止部５６の後壁部６８から突出し、延長管本体１４Ａの図示しない端子と接続可能とされている。
【００４４】
補助管部５３の補助ブラシ５２側の端部は斜めにカットされている。環状枠部５７は、傾動接続管４４の接続筒部４４Ｇを挿入するときに、上カバー５４の前側の段部５４Ａに支持されて、補助管部５３の軸線に対して直角方向に向けられる。これによって、補助ブラシ５２で掃除を行うときには、床面に対する補助清掃体５０の傾きに応じて補助ブラシ５２が傾きを変えられるようになっている。
【００４５】
次に、この発明の電気掃除機の作用について説明する。
【００４６】
この電気掃除機１０で掃除を行うには、まず、手元操作管１３の先端部に延長管１４を接続し、この延長管１４の先端部に吸込口体２０の回動管４０を接続する。
【００４７】
このとき、環状枠部５７の内側に接続筒部４４Ｇを通し、延長管１４を回動管４０に挿入すると、揺動部材４７の爪部４７Ｄが被掛止板部６３を乗り越えて、爪部４７Ｄと被掛止板部６３とが掛止され、延長管１４と回動管４０とが結合される。つまり、ロック機構は、延長管１４と回動管４０とを互いにロックしたロック状態となる。
【００４８】
また、端子４８Ｏ、４８Ｐが端子穴６４Ａに挿入されて接触子６６Ａと接触し、この接触子６６Ａを介して端子６６と接続されて吸込口本体３０内部の図示しないモータ及び制御回路８１に通電可能とされる。
【００４９】
次に、手元操作管１３を操作して掃除を行う。このとき、延長管１４は図３及び図９に示すように、Ｘ軸に対して８０゜未満の傾斜角度で起立する。そのため、掃除中にロック機構がロック解除されることがなく、マイクロスイッチ８２に押圧ボタン部４７Ａが接触することがない。そして、マイクロスイッチ８２はＯＦＦ信号を出力することとなる。
【００５０】
通電された制御回路８１は、マイクロスイッチ８２から出力されたＯＦＦ信号により、ＬＥＤ８０を点灯させる。点灯したＬＥＤ８０は、窓部３８を介して使用者が点灯状態を目視確認できるようになっている。
【００５１】
次に、ロック機構をロック解除して延長管１４を回動管４０から取り外すには、延長管１４を吸込口本体３０に対して９０゜±１０゜、好ましくは８０゜以上起立させる。このとき、図４に示すように、被押圧突起部４８Ａが突起部４２Ｄに押される。
【００５２】
そして、突起部４２Ｄに押された被押圧突起部４８Ａは、揺動部材４７の突起部４２Ｄを押し上げるとともに、押圧ボタン部４７Ａを突出させる。押し上げられた突起部４２Ｄは揺動部材４７を揺動させて、被掛止板部６３の上方にむかって爪部４７Ｄを持ち上げ、被掛止板部６３と爪部４７Ｄとの掛止を解除する。つまり、ロック機構はロック解除される。
【００５３】
一方、突出した押圧ボタン部４７Ａは、図４及び図１０に示すようにマイクロスイッチ８２に接触する。これにより、マイクロスイッチ８２はＯＮ信号を出力する。そして、制御回路８１は、マイクロスイッチ８２から出力されたＯＮ信号によりＬＥＤ８０を点滅させる。すなわち、延長管１４と傾動接続管４４との接続のロックが解除されるとＬＥＤ８０は点滅される。この点滅したＬＥＤ８０は、窓部３８を介して使用者が点滅状態を目視確認することができる。
【００５４】
さらに、図９に示すように、延長管１４から回動管４０を取り外して、延長管１４と吸込口体２０とを分離した場合には、端子４８Ｏ、４８Ｐが端子穴６４Ａから引き抜かれて接触子６６Ａと離間し、端子６６と分離されて制御回路８１に給電されなくなる。そのため、制御回路８１を介して点滅制御されるＬＥＤ８０は消灯する。
【００５５】
以上説明したように、この発明の電気掃除機１０は、ロック機構のロック状態を示すＬＥＤ８０を目視確認することで、延長管１４と傾動接続管４４との接続のロックが解除されたか否かがすぐに分かる。すなわち、そのロック状態を確実に識別することができる。
【００５６】
また、発光部であるＬＥＤ８０がロック機構のロック状態に応じて、点灯したり点滅したりするので、簡単な構成でロック機構のロック状態を明確に表示することが可能となっている。
【００５７】
以上、この発明にかかる実施例の一つを図面により詳述してきたが、具体的な構成は上述の実施例に限らない。この発明の要旨を逸脱しない範囲の設計の変更等はこの発明に含まれる。
【００５８】
例えば、上述の実施例では、ＬＥＤ８０を吸込口体２０に設けているが、延長管１４や掃除機本体１０等に設けられていてもよい。
【００５９】
特に、発光部としてのＬＥＤ８０を手元操作管１３等に設けた場合では、使用者が目視しやすくなり、延長管１４を傾動接続管４４から取り外してよいか否かがより分かりやすくなる。
【００６０】
また、電気掃除機としては、キャニスタ型の電気掃除機に限らず、アップライト型、スティック型、ハンディ型等であっても、対応して用いることができる。
【００６１】
上記実施例では、ロック状態を報知する専用のＬＥＤ８０を吸込口体２０に設けているが、回転ブラシの回転を報知するランプを利用してもよい。また、音声で知らせるようにしてもよい。
【図面の簡単な説明】
【００６２】
【図１】この発明の実施の形態の電気掃除機の全体を示す斜視図である。
【図２】この発明の電気掃除機の吸込口体及び延長管の先端部を示す斜視図である。
【図３】吸込口体に対して延長管を８０゜未満起立させて使用状態にした時の断面図である。
【図４】吸込口体に対して延長管を９０゜以上起立させ、ロック機構をロック解除した時の断面図。
【図５】吸込口体の回動管の分解斜視図である。
【図６】延長管の補助清掃体の分解斜視図である。
【図７】揺動部材の押圧ボタン部と補助レバーとが複数のコイルスプリングにより弾発付勢されている状態を示す一部断面斜視図である。
【図８】ロック表示部と延長管との接続を示すブロック図である。
【図９】吸込口体に対して延長管を８０゜未満起立させて使用状態にした斜視図である。
【図１０】吸込口体に対して延長管を９０゜以上起立させ、ロック機構をロック解除した斜視図である。
【図１１】吸込口体から延長管を分離した状態の斜視図である。
【符号の説明】
【００６３】
１０        電気掃除機
１１        掃除機本体
１４        延長管
１５        集塵室部
３０        吸込口本体
３３        吸込開口
４０        回動管
４７、６３  ロック機構
８０        ＬＥＤ（報知手段）
【図１】
2005334341.tif 000003
【図２】
2005334341.tif 000004
【図３】
2005334341.tif 000005
【図４】
2005334341.tif 000006
【図５】
2005334341.tif 000007
【図６】
2005334341.tif 000008
【図７】
2005334341.tif 000009
【図８】
2005334341.tif 000010
【図９】
2005334341.tif 000011
【図１０】
2005334341.tif 000012
【図１１】
2005334341.tif 000013